(57)【要約】      （修正有）【課題】工具などの展示用吊掛板構造の長さを大幅に縮小する工具吊掛板の折曲構造を提供する。【解決手段】工具を展示するための吊掛本体１０の底部に枠状に形成した工具受け開口１３を設置して工具の柄を差し込み、掛合板１４で工具を締結して固定する。吊掛板本体中央の軸桿の上半は枢設軸１７や該本体に対して肉薄とした折れ線１４１などを介して折畳み可能とした上板片１０１とし、該上板片を本体背面側に折畳むことによって、展示用吊掛板の長さを短縮可能とする。【選択図】図１
0003164584.tif 000002
【実用新案登録請求の範囲】
【請求項１】
長板状の吊掛板及び工具を差し込むための工具受け開口、板面中央の突出した軸桿を具えた工具吊掛板において、
吊掛板を上記中央の軸桿上方の上板片とその下方の吊掛板本体とから構成し、上板片を該吊掛板本体背面側に折曲して折畳み可能としたことを特徴とする工具吊掛板の折曲構造。
【請求項２】
前記上板片と吊掛板本体は、それぞれに設けた軸孔台を貫通する枢設軸によって折曲可能に枢設されたことを特徴とする請求項１記載の工具吊掛板の折曲構造。
【請求項３】
前記上板片と吊掛板本体は、押圧して薄肉とした折線を介して折曲可能に接続されたことを特徴とする請求項１記載の工具吊掛板の折曲構造。
【請求項４】
前記上板片は、背面の中段に突出した嵌合突起が設置され、本体の板面の相対箇所に嵌合孔を貫設し、相互に嵌合して定位することを特徴とする請求項１記載の工具吊掛板の折曲構造。
【請求項５】
前記上板片は、背面の中段に嵌合孔を貫設し、本体の板面の相対箇所に突出した嵌合突起を設置し、相互に嵌合して定位することを特徴とする請求項１記載の工具吊掛板の折曲構造。
【考案の詳細な説明】
【技術分野】
【０００１】
本考案は、工具吊掛板の折曲構造に関するもので、主に一般の工具を吊り掛けて使用する場合、吊掛板を折り曲げることにより、吊掛構造の包装が大幅に縮小し、吊掛包装、運送包装で使用する際に、コストを下げる。
【背景技術】
【０００２】
一般的な工具は販売時に展示がしやすいことが求められ、更に通常吊掛包装の場合、一般的なレンチ、栓抜き等細長い工具を包装するのに、盗難防止を考慮する必要がある。通常よく見かけるのは、幅よりも細長い厚紙板を吊掛品としてブリスターパックとして工具全体を板面正面で覆う方法で、覆ったブリスターパックは透明材質で予め成型してあり、工具を入れた後、開口を封じる。多くのDIY消費者はすべてプロではないため、実際に触って持ってみて購入するかどうかを決める場合が多いが、このような公知のブリスターパックの包装方式では見ることはできても包装で覆われているため、触ることができない。更に、紙板状の包装は、通常工具全体を完全に覆ってしまうが、柄が長い場合には包装材が増えて不便であり、運搬や吊掛陳列の際、不便である。故に細長状の工具は通常、工具のヘッドだけを固定する。一般的なモンキレンチを細長い工具３０の例として挙げると、その包装は図５に示すとおり、長形且つ幅広の吊掛板３１を、工具３０の吊掛包装の主体とし、吊掛板３１の最上面には吊掛孔３２を設置してそこに引っ掛けて展示に用いる。中央は穿孔３３が設置されて、そこに定位する工具３０のヘッドを合わせ、雄雌ボタン３４、３５で挟む。そのうち、雌ボタン３５は、吊掛板３１を工具３０の前方向内に置いて板底面に挿し込み、雄ボタン３４を雌ボタン３５に差し入れ、相互に固定定位する。雌ボタン３５の外縁は比較的大きな蓋板３６で、工具３０のヘッド押さえて落ちないようにする。吊掛板３１の下半部円弧形孔を成形し、U字型固定フレーム３８で工具の柄の上方を挟み、柄は適度に動くようにしておき、陳列時に落ちたりしないようにする。工具３０の吊掛安全設計によって吊掛が便利で、購入しやすい。
【先行技術文献】
【特許文献】
【０００３】
【特許文献１】特許第２７８９３８９号公報
【特許文献２】特許第３６９６６２３号公報
【考案の概要】
【考案が解決しようとする課題】
【０００４】
解決しようとする問題点は、工具の長さは吊掛板より長く、実際の包装材が大幅に増加するため、コストが上がり、運搬も不便な点である。そこで如何にして吊掛板式の包装を経済的で運搬も便利な工具展示用の吊掛板にするかを課題とする。
【課題を解決するための手段】
【０００５】
本考案は、工具を差し込む吊掛板の包装材を縮小するもので、工具を展示するための吊掛本体の底部に工具受け開口を設置し、そこに工具を差し込み、本体の掛合板で工具を締めることで、安全展示を達成する。本体中央の軸桿の上半面には枢設回転する上板面が設置され、工具を吊り掛けた後の上板面を本体の背面に回転して折曲することを最も主要な特徴とする。
【考案の効果】
【０００６】
本考案の工具吊掛板の折曲構造は、吊掛板の長さを大幅に短縮することで、包装材全体の体積を有効に縮小し、運搬が便利で、包装及び運送のコストが有効に下がるという利点がある。
【図面の簡単な説明】
【０００７】
【図１】本考案の吊掛板の外観参考図である。
【図２】本考案の吊掛板の使用実施例外観参考図である。
【図３】本考案の吊掛板を折曲した平面指示参考図である。
【図４】本考案の吊掛板の別種の枢設折曲指示参考図である。
【図５】公知の吊掛板の使用実施例参考図である。
【考案を実施するための形態】
【０００８】
本考案者は、現行の細長い工具用の吊掛包装材の体積が縮小できず、包装が不便且つ運搬が困難であるという欠点に対し、研究改良を重ねた結果、本考案の工具吊掛板を折曲して寸法を短縮することを着想し、吊掛板本体を、工具を差し込んで定位する上半面で折曲する構造とすることによって解決した。吊掛板の幅面に対して長さが大きすぎ、それによってコストが高くなり、経済的でなかった欠点及び浪費を有効に改善した。
【０００９】
〔実施例〕
吊掛板の上半部を折曲定位する構造とし、工具を包装するのに、包装材の容積を大幅に減らして節約し、コストも下げ、吊掛板面の安全且つ実用的な包装を達成することを本考案の目的とする。
【００１０】
更に本考案の構造特徴及びその実用的目的を説明するため、実施例を挙げて図式と共に説明する。
【００１１】
本考案の工具吊掛板の折曲構造は、図１から図４に示すとおり、吊掛板主体の吊掛板本体１０を具える。  板体は長板片で、板片の中央位置には突出した定位用の軸桿１１を設置する。その突出した桿体の中央には穿孔１２を形成した管状構造か、もしくは、係合用の突出端を内部に形成した開口とする。
吊掛板１０の底端箇所には突出した工具差込用の工具受け開口１３が設置され、そこに工具３０の柄を挿入定位して組み立てる。本体１０の一側もしくは工具受け開口１３の辺側には、工具締結用の延長した掛合板１４を設け、その板体の伸びた末端には差込部品１５を設置する。また、軸桿１１上の穿孔１２内には階段状、もしくは陥没した環形溝１２１を形成し、工具を締結した板体末端の差込部品１５の差込端を該穿孔に差し込んで係合して組み立てる。以上の構造によりレンチ等の工具３０を工具受け開口１３に設置した後、簡単に締結して固定することができる。
また、掛合板１４の中段に工具の寸法形状に応じた位置に横方向に厚みをやや薄くして、折り曲げしやすくした折線１４１を形成する。この折線１４１により係合板を容易に折り曲げて工具３０を収容して定位しやすくなり、掛合板１４の差込部品１４を軸桿１１の穿孔１２内に差し込んで固定する作業を容易にする。
また、吊掛板本体１０には、軸桿１１上方の適当な位置に吊掛用の長孔１６を設置する。
さらに、吊掛板本体１０を折畳み可能な上下両板片により構成する。すなわち、軸桿１１上方に上板片１０１を設置し、該板底端の両端に軸孔台１７１を設けて、そこに吊掛板本体１０と該上板片１０１とを貫通する枢設軸１７を挿入して相互に回動可能な構造とする。吊掛板本体１０の上板片１０１は、回転して吊掛板本体１０の背面に折り重なり、吊掛板本体１０の包装材体積を大幅に縮小する。また、枢設して折曲した上板片１０１と吊掛板本体１０とを折畳んだ状態に保つために、上板片１０１の背面中段に嵌合突起１０２を設け、吊掛板本体１０の板面の相対箇所にはこれに嵌合する嵌合孔１９を貫設して、それらを相互に嵌合して定位する。
それらの凹凸設置位置は、相互に変換してもよく、本考案の構造としては同じである。重ねたときの包装構造を強化補助し、吊掛品の包装が更に精密で安全になり、経済的効果及び目的に合致する。
【００１２】
本考案の吊掛板本体１０の折曲構造は、一組の吊掛板構造の包装材容積を大幅に縮小し、包装を更に精緻且つ小型で、安全に運搬することを達成する。また、板片折曲構造は、枢設状であること以外に、成型する時に、板片の中段の枢設接続位置に押圧した細い連接折線１８を成形し、相対する嵌合突起１０２及び嵌合孔１９の定位補助作用を組み合わせることで、上板片１０１が吊掛板本体１０の背部に折曲して折畳まれ、体積が縮小される。以上の簡便な板片の折曲操作によって、包装材容積が大幅に縮小し、吊掛展示の実用安全使用を兼ねて運賃コストが大幅に節約され、実用経済効果に優れ、新規性、進歩性あるものである。
【００１３】
上述のとおり、本考案の工具吊掛板の折曲構造は、吊掛の上板片に折曲して上下が折畳まれる構造で、吊掛板の包装体容積が大幅に縮小され、工具の吊掛包装構造を安全且つ経済的な効果を達成し、その折曲構造は簡易な設計である以外に、その構造が実用新案の申請要項に合致する。
【符号の説明】
【００１４】
１０        本体
１１        軸桿
１０１        上板片
１０２        嵌合突起
１２        穿孔
１２１        環形溝
１３        工具受け開口
１４        掛合板
１４１        折線
１５        差込部品
１６        長孔
１７        枢設軸
１７１        軸孔台
１８        折線
１９        嵌合孔
３０        工具部品
３１        吊掛板
３２        吊掛孔
３３        穿孔
３４        雄ボタン
３５        雌ボタン
３６        蓋板
３７        円弧形孔
３８        固定フレーム
【図１】
0003164584.tif 000003
【図２】
0003164584.tif 000004
【図３】
0003164584.tif 000005
【図４】
0003164584.tif 000006
【図５】
0003164584.tif 000007